(57)【要約】【課題】１枚のシートの状態で保管できるので、保管スペースを小さくすることができ、軽量であるので持ち運びが便利であり、簡単に組み立てることができる眼鏡スタンドを提供する。【解決手段】眼鏡スタンド１は、１枚のシート２を折り畳んで形成するものであって、底板部３と、底板部３の前端縁５に前折曲線６を介して接続された前板部１０と、底板部３の後端縁７に後折曲線８を介して接続された後板部２０と、前後折曲線６，８を折り曲げて前板部１０及び後板部２０を立ち上げた状態で保持する保持板部３０とからなる。【選択図】　　　　図１
2004062101.tif 000002
【特許請求の範囲】
【請求項１】
１枚のシートを折り畳んで形成する眼鏡スタンドであって、
底板部と、
底板部の前端縁に前折曲線を介して接続された前板部と、
底板部の後端縁に後折曲線を介して接続された後板部と、
前後折曲線を折り曲げて前板部及び後板部を立ち上げた状態で保持する保持板部とからなることを特徴とする眼鏡スタンド。
【請求項２】
保持板部は、底板部を前後方向に横切るように設けられ、
底板部に位置する中央部と、
前板部側に突出する前部と、
後板部側に突出する後部とからなり、
保持板部を形成する輪郭の内、前後方向に伸びる一つの端縁の一部分が底板部と基礎折曲線を介して接続され、それ以外の輪郭が切込線によって形成され、
基礎折曲線とは反対側の端縁の両側に前係止凹部と後係止凹部が形成され、
前折曲線を折り曲げて前板部を立ち上げ、後折曲線を折り曲げて後板部を立ち上げ、基礎折曲線を折り曲げて保持板部を立ち上げた時に、
前係止凹部は、前板部から保持板部の前部が外れて形成された前開口の前開口周縁を係止し、
後係止凹部は、後板部から保持板部の後部が外れて形成された後開口の後開口周縁を係止するようになっていることを特徴とする請求項１記載の眼鏡スタンド。
【請求項３】
保持板部が少なくとも２箇所に設けられていることを特徴とする請求項１又は２に記載の眼鏡スタンド。
【請求項４】
底板部の保持板部を立ち上げる側の面と反対側の面に、基板が設けられていることを特徴とする請求項１、２又は３記載の眼鏡スタンド。
【発明の詳細な説明】
【０００１】
【発明の属する技術分野】
本願発明は、１枚のシートを折り畳んで組み立てることができる眼鏡スタンドに関するものである。
【０００２】
【従来の技術】
従来の眼鏡スタンドは、実用新案登録第３０１４６９９号公報に開示されているように、鉄板、ステンレス板の金属板を屈曲成形することによって形成されていた。
【０００３】
【発明が解決しようとする課題】
従来の眼鏡スタンドは、形態がすでに立体的に形成されているため、保管及び運搬に不便であり、しかも鉄板等の金属板を屈曲成形することによって形成するので高価であるという問題点があった。
【０００４】
本願発明は、上記問題点に鑑み案出したものであって、１枚のシートの状態で保管できるので、保管スペースを小さくすることができ、軽量であるので持ち運びが便利であり、簡単に組み立てられるので安価であり、１枚のシートのまま配ることもできる眼鏡スタンドを提供することを目的とする。
【０００５】
【課題を解決するための手段】
本願請求項１に係る眼鏡スタンドは、上記目的を達成するため、１枚のシートを折り畳んで形成する眼鏡スタンドであって、底板部と、底板部の前端縁に前折曲線を介して接続された前板部と、底板部の後端縁に後折曲線を介して接続された後板部と、前後折曲線を折り曲げて前板部及び後板部を立ち上げた状態で保持する保持板部とからなる。
【０００６】
本願請求項２に係る眼鏡スタンドは、上記目的を達成するため、上記保持板部は、底板部を前後方向に横切るように設けられ、底板部に位置する中央部と、前板部側に突出する前部と、後板部側に突出する後部とからなり、保持板部を形成する輪郭の内、前後方向に伸びる一つの端縁の一部分が底板部と基礎折曲線を介して接続され、それ以外の輪郭が切込線によって形成され、基礎折曲線とは反対側の端縁の両側に前係止凹部と後係止凹部が形成され、前折曲線を折り曲げて前板部を立ち上げ、後折曲線を折り曲げて後板部を立ち上げ、基礎折曲線を折り曲げて保持板部を立ち上げた時に、前係止凹部は、前板部から保持板部の前部が外れて形成された前開口の前開口周縁を係止し、後係止凹部は、後板部から保持板部の後部が外れて形成された後開口の後開口周縁を係止するようになっている。
【０００７】
本願請求項３に係る眼鏡スタンドは、上記目的を達成するため、上記保持板部が少なくとも２箇所に設けられている。本願請求項４に係る眼鏡スタンドは、上記課題を達成するため、上記底板部の保持板部を立ち上げる側の面と反対側の面に、基板が設けられている。
【０００８】
【発明の実施の形態】
本願発明に係る眼鏡スタンドの実施の形態を図面に基づいて説明する。図１は、本願発明に係る眼鏡スタンドの一つの実施の形態を示す斜視図である。図２は、図１の眼鏡スタンドの展開図である。図３は、本願発明に係る眼鏡スタンドの他の実施の形態を示す斜視図である。図４は、本願発明に係る眼鏡スタンドの他の実施の形態を示す斜視図である。図５は、図４の眼鏡スタンドの展開図である。図６は、本願発明に係る眼鏡スタンドの他の実施の形態を示す斜視図である。図７は、図６の眼鏡スタンドの展開図である。図８は、本願発明に係る眼鏡スタンドの他の実施の形態を示す斜視図である。図９は、図８の眼鏡スタンドの展開図である。図１０は、本願発明に係る眼鏡スタンドの他の実施の形態を示す斜視図である。図１１は、図１０の眼鏡スタンドの展開図である。
【０００９】
眼鏡スタンド１は、図１，２に示すように、１枚のシート２を折り畳んで形成するものであって、底板部３と、底板部３の前端縁５に前折曲線６を介して接続された前板部１０と、底板部３の後端縁７に後折曲線８を介して接続された後板部２０と、前後折曲線６，８を折り曲げて前板部１０及び後板部２０を立ち上げた状態で保持する保持板部３０とからなる。
【００１０】
保持板部３０は、底板部３を前後方向（ＸＹ方向）に横切るように設けられ、底板部３に位置する中央部３１と、前板部１０側に突出する前部３２と、後板部２０側に突出する後部３３とからなる。保持板部３０を形成する輪郭３４の内、前後方向（前折曲線６と略直交する方向　ＸＹ方向）に伸びる一つの端縁３５の一部分が底板部３と基礎折曲線４０を介して接続され、それ以外の輪郭３４が切込線４１によって形成されている。
【００１１】
基礎折曲線４０とは反対側の端縁３６の両側に、前係止凹部４２と後係止凹部４３が形成されている。前折曲線６を折り曲げて前板部１０を立ち上げ、後折曲線８を折り曲げて後板部２０を立ち上げ、基礎折曲線４０を折り曲げて保持板部３０を立ち上げた時に、保持板部３０の前係止凹部４２は、前板部１０から保持板部３０の前部３２が外れて形成された前開口４５の前開口周縁４６を係止し、保持板部３０の後係止凹部４３は、後板部２０から保持板部３０の後部３３が外れて形成された後開口４７の後開口周縁４８を係止するようになっている。
【００１２】
さらに眼鏡スタンド１について詳細に説明する。眼鏡スタンド１は、１枚のシート２を折り畳んで組み立てられる。シート２の素材は、厚紙、合成樹脂板等であるが、特にその素材に限定されるものではなく、折曲可能なものであるならばどのような素材であっても構わない。シート２は、打ち抜きプレス加工によって形成されている。
【００１３】
シート２は、底板部３と、底板部３の前端縁５に前折曲線６を介して連続形成された前板部１０と、底板部３の後端縁７に後折曲線８を介して連続形成された後板部２０と、前後折曲線６，８を折り曲げて前板部１０及び後板部２０を立ち上げた状態で保持する保持板部３０とからなる。
【００１４】
底板部３は、長方形状に形成されている。前板部１０は、一端縁１１が上記前折曲線６を介して底板部３の前端縁５に接続され、他端縁１３が緩やかな曲線によって形成されている。他端縁１３の略中心には、一端縁１１側に向かって大きく湾曲した凹部１５が形成されている。前板部１０の左右端縁１７，１９は、他端縁１３側に向かって拡がるように傾斜している。
【００１５】
後板部２０は、一端縁２１が上記後折曲線８を介して底板部３の後端縁７に接続され、他端縁２３が緩やかな曲線によって形成されている。他端縁２３の略中心には、一端縁２１側に向かって大きく湾曲した凹部２５が形成されている。後板部２０の左右端縁２７，２９は、他端縁２３側に向かって拡がるように傾斜している。
【００１６】
保持板部３０は、底板部３の略中心であって、底板部３の長手方向と略直角の方向、即ち底板部３の前後方向（ＸＹ方向）に、底板部３を横切るように設けられている。保持板部３０は、底板部３に位置する中央部３１と、前板部１０側に突出する前部３２と、後板部２０側に突出する後部３３とからなる。
【００１７】
保持板部３０を形成する輪郭３４は、前後方向（前折曲線６と略直交する方向ＸＹ方向）に伸びる基礎端縁３５と、基礎端縁３５と略平行の立上端縁３６と、基礎端縁３５の前端と立上端縁３６の前端を結ぶ前曲端縁３７と、基礎端縁３５の後端と立上端縁３６の後端を結ぶ後曲端縁３９とからなる。基礎端縁３５は、前部３８ａが前折曲線６の交点Ｐから距離ｒ突出し、後部３８ｂが後折曲線８の交点Ｑから距離ｒ突出している。
【００１８】
立上端縁３６は、基礎端縁３５から距離ｒ離して略平行に設けられ、前部が前折曲線６の交点Ｒまで伸び、後部が後折曲線８の交点Ｓまで伸びている。前曲端縁３７は、中心が基礎端縁３５と前折曲線６の交点Ｐであって半径ｒの曲線であり、基礎端縁３５の前端と立上端縁３６の前端を結んでいる。後曲端縁３９は、中心が基礎端縁３５と後折曲線８の交点Ｑであって半径ｒの曲線であり、基礎端縁３５の後端と立上端縁３６の後端を結んでいる。
【００１９】
前記基礎端縁３５の内、底板部３にある一部分が底板部３と基礎折曲線４０によって接続され、基礎折曲線４０以外の輪郭３４が切込線４１によって切り離されている。基礎折曲線４０の長さは、基礎端縁３５と前折曲線６の交点Ｐから基礎端縁３５と後折曲線８の交点Ｑまでの範囲で任意に設定される。基礎折曲線４０は点線で表し、切込線４１は実線で表している。また、前曲端縁３７と後曲端縁３９には、同じく切込線４１によって、略Ｖ字状の前係止凹部４２と後係止凹部４３が形成されている。
【００２０】
眼鏡スタンド１は、上記構成を有し、以下のように組み立てることができる。前記した１枚のシート２の状態から、前折曲線６を折曲して前板部１０を立ち上げ、同様に後折曲線８を折曲して後板部２０を立ち上げる。前板部１０と後板部２０を立ち上げると、保持板部３０の前部３２が前板部１０から外れ、保持板部３０の後部３３が後板部２０から外れ、前板部１０に扇型の前開口４５が形成され、後板部２０にも扇型の後開口４７が形成される。
【００２１】
基礎折曲線４０を折曲して保持板部３０を立ち上げると、前曲端縁３７に形成された略Ｖ字状の前係止凹部４２が前板部１０の前開口４５の前開口周縁４６を係止し、後曲端縁３９に形成された略Ｖ字状の後係止凹部４３が後板部２０の後開口４７の後開口周縁４８を係止するので、図１に示すように、眼鏡スタンド１が組み立てられる。
【００２２】
眼鏡スタンド１に眼鏡Ｇを収容すると、鼻掛部Ｇ３、Ｇ３間に保持板部３０が位置して、眼鏡Ｇの位置決めをすることができる。組み立てられた眼鏡スタンド１は、底板部３の裏面３ｂと、保持板部３０の基礎端縁３５によって、安定して立たせることができる。特に基礎端縁３５の前部３８ａと後部３８ｂが底板部３から前後方向に突出しているので、その突出している分、眼鏡スタンド１を安定して立たせることができる。
【００２３】
眼鏡スタンド１は、シート２の状態で保管及び運搬することができるので、収納スペースが少なくてすみ、大量に運搬することができる。また嵩張らないため、街頭において配布することができ、前板部１０と後板部２０に種々のものを印刷しておき、宣伝・広告に利用することできる。また、製造が型抜きプレスだけで製造することができるので、安価である。組み立ては、前板部１０と、後板部２０と、保持板部３０の３カ所を折り曲げるだけで組み立てられるので、簡単であり、その場で簡単に組み立てることができ、上記したように、シート２の状態で配布しても構わない。
【００２４】
また、眼鏡スタンド１は、図３に示すように、後板部５０を前板部１０より長くして形成し、前板部１０の他端部１３より上方に位置する面５１に広告等の表示５２を印刷形成し、店頭に並べることができる。なお、後板部５０の上部に透孔５３を形成し、この透孔５３に紐等を通して、壁等にぶら下げることもできる。
【００２５】
また上記実施の形態では、保持板部３０を底板部３の略中心に設けたが、図４，５に示すように、底板部３の両側２カ所に対向して設けても構わない。係る場合には、前板部１０と後板部２０の両側が保持板部３０，３０によって保持されるため、頑丈に組み立てられ、しかも底板部３の裏面３ｂと、一対の保持板部３０の基礎端縁３５によって、より一層安定して立たせることができる。眼鏡スタンド１に眼鏡Ｇを収容すると、眼鏡Ｇの両側が保持板部３０によって位置決めされる。
【００２６】
また、上記実施の形態では、保持板部３０の基礎端縁３５よって、安定に立たせるようにしたが、図６，７に示すように、底板部３の保持板部３０を立ち上げる側の面（表面）３ａと反対側の面（裏面）３ｂに、基板５５を設けても構わない。基板５５は、底板部３の前端縁５及び後端縁７から突出するようになっており、底板部３の裏面３ｂに接着材によって固着されている。基板５５の素材は、シート２と同様に、厚紙、合成樹脂板等であるが、特にその素材に限定されるものではない。係る場合には、基板５５によって安定して立たせることができるので、保持板部３０の基礎折曲線４０を除く基礎端縁３５の前部３８ａ及び後部３８ｂを斜めに切断して保持板部３０を小さくしても構わない。
【００２７】
また上記実施の形態では、保持板部３０を底板部３の略中心に設けたが、図８，９に示すように、底板部３の両側２カ所に対向して設けても構わない。係る場合には、前板部１０と後板部２０の両側が保持板部３０によって保持されるため、頑丈に組み立てられる。
【００２８】
保持板部の他の実施の形態を図１０，図１１に基づいて説明する。保持板部６０は、底板部３の略中心であって、底板部３の長手方向と略直角の方向、即ち底板部３の前後方向（ＸＹ方向）に、底板部３を横切るように設けられている。保持板部６０は、底板部３に位置する中央部６１と、前板部１０側に突出する前部６２と、後板部２０側に突出する後部６３とからなる。
【００２９】
保持板部６０を形成する輪郭６４は、前後方向（前折曲線６と略直交する方向ＸＹ方向）に伸びる基礎端縁６５と、基礎端縁６５と略平行の立上端縁６６と、基礎端縁６５の前端に連接された前傾斜縁６７ａと、前傾斜縁６７ａの先端と立上端縁６６の前端を結ぶ前曲端縁６７ｂと、基礎端縁６５の後端に連接された後傾斜縁６９ａと、後傾斜縁６９ａの先端と立上端縁６６の後端を結ぶ後曲端縁６９ｂとからなる。基礎端縁６５は、前端が前折曲線６の交点Ｐまで伸び、後端が後折曲線８の交点Ｑまで伸びている。
【００３０】
立上端縁６６は、基礎端縁６５から距離ｒ弱離して略平行に設けられ、前端が前折曲線６の交点Ｒまで伸び、後端が後折曲線８の交点Ｓまで伸びている。前曲端縁６７ｂは、中心が基礎端縁６５と前折曲線６の交点Ｐであって半径ｒの曲線であり、前傾斜縁６７ａの先端と立上端縁６６の前端を結んでいる。後曲端縁６９ｂは、中心が基礎端縁６５と後折曲線８の交点Ｑであって半径ｒの曲線であり、後傾斜縁６９ａの先端と立上端縁６６の後端を結んでいる。前曲端縁６７ｂの交点Ｒ近傍には、略Ｖ字状の前係止凹部７２が形成されている。後曲端縁６９ｂの交点Ｓ近傍には、略Ｖ字状の後係止凹部７３が形成されている。
【００３１】
前記基礎端縁６５が底板部３と基礎折曲線７０によって接続され、基礎折曲線７０以外の輪郭６４が切込線７１によって切り離されている。基礎折曲線７０の長さは、基礎端縁６５と前折曲線６の交点Ｐから基礎端縁６５と後折曲線８の交点Ｑまでの範囲で任意に設定される。基礎折曲線７０は点線で表し、切込線７１は実線で表している。
【００３２】
また、前記保持板部６０は、半円状の開口７５内に設けられている。半円状の開口７５は、切込線７６によって形成され、直線部７７と曲線部７８とからなる。曲線部７８は、前後に半径略ｒ程度の前曲線部７９と後曲線部８０を有し、前曲線部７９と前曲線縁６７ｂが切込線７６を介して接触し、後曲線部８０と後曲線縁６９ｂが切込線７６を介して接触している。
【００３３】
直線部７７と基礎折曲線７０は同一直線上にあり、前端が交点Ｐから距離ｒ程伸びており、この前端部に山状の突起８１によって略Ｖ字状の前係止部８２が形成されている。また、直線部７７の後端が交点Ｑから距離ｒ程伸びており、この後端部に山状の突起８３によって略Ｖ字状の後係止部８４が形成されている。
【００３４】
上記保持板部６０は、上記構成を有し、以下のように組み立てることができる。前記した１枚のシート２の状態から、前折曲線６を折曲して前板部１０を立ち上げ、同様に後折曲線８を折曲して後板部２０を立ち上げる。前板部１０と後板部２０を立ち上げると、保持板部６０の前部６２が前板部１０から外れ、保持板部６０の後部６３が後板部２０から外れ、前板部１０に扇型の前開口８５が形成され、後板部２０にも扇型の後開口８７が形成される。
【００３５】
基礎折曲線７０を折曲して保持板部６０を立ち上げると、前曲端縁６７ｂに形成された略Ｖ字状の前係止凹部７２が、前板部１０の前曲線部７９の突起８１を乗り越えて前係止部８２を係止し、後曲端縁６９ｂに形成された略Ｖ字状の後係止凹部７３が、後板部２０の後曲線部８０の突起８０を乗り越えて後係止部８４を係止するので、図１０に示すように、眼鏡スタンド１Ａが組み立てられる。
【００３６】
眼鏡スタンド１Ａは、保持板部６０の前係止凹部７２が前板部１０の前係止部８２に係止され、後係止凹部７３が後板部２０の後係止部８４に係止されるので、確実に位置決めされて組み立てられ、係止が解除され難くなっている。
【００３７】
【発明の効果】
以上説明してきたように、本願請求項１に係る眼鏡スタンドは、１枚のシートの状態で保管できるので、保管スペースを小さくすることができ、軽量であるので持ち運びが便利であるという効果がある。また、前板部と後板部と保持板部を折曲線を折り曲げて立ち上げるだけで簡単に組み立てられるので、安価であり、組立に手間がかからないのでシートの状態で配布することもできるという効果がある。さらにまた、前板部と後板部に種々のものを印刷しておき、宣伝・広告に利用することできるという効果がある。
【００３８】
本願請求項２に係る眼鏡スタンドは、上記効果に加え、保持板部の前係止凹部が、前板部から保持板部の前部が外れて形成された前開口の前開口周縁を係止し、保持板部の後係止凹部が、後板部から保持板部の後部が外れて形成された後開口の後開口周縁を係止するようになっているので、保持板部の前係止凹部と後係止凹部を係止させる部分を前板部と後板部に形成する必要がなく、従って構造が簡単となり、安価に製造することができるという効果がある。
【００３９】
本願請求項３に係る眼鏡スタンドは、上記効果に加え、保持板部が少なくとも２箇所に設けられているので、頑丈に組み立てることができるという効果がある。
【００４０】
本願請求項４に係る眼鏡スタンドは、上記効果に加え、底板部の保持板部を立ち上げる側の面と反対側の面に、基板が設けられているので、安定して立たせることができるという効果がある。
【図面の簡単な説明】
【図１】本願発明に係る眼鏡スタンドの一つの実施の形態を示す斜視図である。
【図２】図１の眼鏡スタンドの展開図である。
【図３】本願発明に係る眼鏡スタンドの他の実施の形態を示す斜視図である。
【図４】本願発明に係る眼鏡スタンドの他の実施の形態を示す斜視図である。
【図５】図４の眼鏡スタンドの展開図である。
【図６】本願発明に係る眼鏡スタンドの他の実施の形態を示す斜視図である。
【図７】図６の眼鏡スタンドの展開図である。
【図８】本願発明に係る眼鏡スタンドの他の実施の形態を示す斜視図である。
【図９】図８の眼鏡スタンドの展開図である。
【図１０】本願発明に係る眼鏡スタンドの他の実施の形態を示す斜視図である。
【図１１】図１０の眼鏡スタンドの展開図である。
【符号の説明】
Ｇ　眼鏡
Ｇ１　レンズ
Ｇ２　耳掛部
Ｇ３　鼻掛部
Ｐ　交点
Ｑ　交点
Ｒ　交点
Ｓ　交点
ｒ　距離
１　眼鏡スタンド
１Ａ　眼鏡スタンド
２　シート
３　底板部
３ａ　表面
３ｂ　裏面
５　前端縁
６　前折曲線
７　後端縁
８　後折曲線
１０　前板部
１１　一端縁
１３　他端縁
１５　凹部
１７　左端縁
１９　右端縁
２０　後板部
２１　一端縁
２３　他端縁
２５　凹部
２７　左端縁
２９　右端縁
３０　保持板部
３１　中央部
３２　前部
３３　後部
３４　輪郭
３５　基礎端縁
３６　立上端縁
３７　前曲端縁
３８ａ　前部
３８ｂ　後部
３９　後曲端縁
４０　基礎折曲線
４１　切込線
４２　前係止凹部
４３　後係止凹部
４５　前開口
４６　前開口周縁
４７　後開口
４８　後開口周縁
５０　後板部
５１　面
５２　表示
５３　透孔
５５　基板
６０　保持板部
６１　中央部
６２　前部
６３　後部
６４　輪郭
６５　基礎端縁
６６　立上端縁
６７ａ　前傾斜縁
６７ｂ　前曲端縁
６９ａ　後傾斜縁
６９ｂ　後曲端縁
７０　基礎折曲線
７１　切込線
７２　前係止凹部
７３　後係止凹部
７５　開口
７６　切込線
７７　直線部
７８　曲線部
７９　前曲線部
８０　後曲線部
８１　突起
８２　前係止部
８３　突起
８４　後係止部
８５　前開口
８７　後開口
【図１】
2004062101.tif 000003
【図２】
2004062101.tif 000004
【図３】
2004062101.tif 000005
【図４】
2004062101.tif 000006
【図５】
2004062101.tif 000007
【図６】
2004062101.tif 000008
【図７】
2004062101.tif 000009
【図８】
2004062101.tif 000010
【図９】
2004062101.tif 000011
【図１０】
2004062101.tif 000012
【図１１】
2004062101.tif 000013